(57)【要約】【課題】省電力モードによる消費電力の低減効果を十分に得ることが可能なデータ転送装置を得る【解決手段】スイッチングハブ１は、それぞれが通信機器に接続される複数のポートＢ１〜Ｂ５と、各ポートＢ１〜Ｂ５を、上位機器に接続される上位ポートと下位機器に接続される下位ポートとのいずれかに設定する設定部４１と、各下位ポートと各下位機器との間の電気的接続の確立状態を検出する検出部４０−１〜４０−５と、全ての下位ポートにおいて、対応する下位機器との間の電気的接続が確立されていないことを検出部４０−１〜４０−５が検出した場合に、スイッチングハブ１を省電力モードに設定する制御部４２とを備える。【選択図】図３
2010226312.tif 000002
【特許請求の範囲】
【請求項１】
通信ネットワーク内の複数の通信機器間でデータを転送するデータ転送装置であって、
それぞれが前記通信機器に接続される複数のポートと、
各前記ポートを、前記データ転送装置に対して前記通信ネットワークの上位側の通信機器である上位機器に接続される上位ポートと、前記データ転送装置に対して前記通信ネットワークの下位側の通信機器である下位機器に接続される下位ポートとのいずれかに設定する設定手段と、
各前記下位ポートと各前記下位機器との間の電気的接続の確立状態を検出する検出手段と、
全ての前記下位ポートにおいて、対応する前記下位機器との間の電気的接続が確立されていないことを前記検出手段が検出した場合に、前記データ転送装置を、通常動作時よりも消費電力の少ない省電力状態に設定する制御手段と
を備える、データ転送装置。
【請求項２】
前記設定手段は、前記複数のポートから前記上位機器に向けて所定の信号を送信し、当該複数のポートのうち、前記所定の信号に対する前記上位機器からの返信を受信したポートを、前記上位ポートとして設定する、請求項１に記載のデータ転送装置。
【請求項３】
前記設定手段は、外部接続された通信機器から入力された設定信号に基づいて、各前記ポートを前記上位ポート及び前記下位ポートのいずれかに設定する、請求項１に記載のデータ転送装置。
【請求項４】
各前記ポートは、前記上位ポート及び前記下位ポートのいずれかに固定的に設定されている、請求項１に記載のデータ転送装置。
【請求項５】
前記ポートの設定の有効又は無効を切り替えるスイッチをさらに備える、請求項４に記載のデータ転送装置。
【発明の詳細な説明】
【技術分野】
【０００１】
本発明は、データ転送装置に関し、特に、スイッチングハブ等のネットワークスイッチに関する。
【背景技術】
【０００２】
下記特許文献１に開示されているネットワークスイッチは、外部接続されている通信機器との間でのデータ通信の有無を検出し、所定時間以上データ通信を検出しない場合には、通常モードから省電力モードに移行する。
【先行技術文献】
【特許文献】
【０００３】
【特許文献１】特開２００３−８７２９６号公報
【発明の概要】
【発明が解決しようとする課題】
【０００４】
上記特許文献１に開示されたネットワークスイッチによると、上位のブロードバンドルータ等からブロードキャストパケットを受信した場合であっても、ネットワークスイッチは省電力モードから通常モードへ復帰することとなる。しかし、ブロードキャストパケットは通信ネットワーク上の全ての端末に向けて送信されるパケットであるため、ネットワークスイッチが受信したブロードキャストパケットが、そのネットワークスイッチに接続されている端末装置にとって必要なパケットであるとは限らない。そのため、上記特許文献１に開示されたネットワークスイッチによると、不要なパケットを受信する度に省電力モードが解除されることに起因して、消費電力が増大する。
【０００５】
本発明はかかる事情に鑑みて成されたものであり、省電力モードによる消費電力の低減効果を十分に得ることが可能なデータ転送装置を得ることを目的とするものである。
【課題を解決するための手段】
【０００６】
本発明の第１の態様に係るデータ転送装置は、通信ネットワーク内の複数の通信機器間でデータを転送するデータ転送装置であって、それぞれが前記通信機器に接続される複数のポートと、各前記ポートを、前記データ転送装置に対して前記通信ネットワークの上位側の通信機器である上位機器に接続される上位ポートと、前記データ転送装置に対して前記通信ネットワークの下位側の通信機器である下位機器に接続される下位ポートとのいずれかに設定する設定手段と、各前記下位ポートと各前記下位機器との間の電気的接続の確立状態を検出する検出手段と、全ての前記下位ポートにおいて、対応する前記下位機器との間の電気的接続が確立されていないことを前記検出手段が検出した場合に、前記データ転送装置を、通常動作時よりも消費電力の少ない省電力状態に設定する制御手段とを備えることを特徴とするものである。
【０００７】
第１の態様に係るデータ転送装置によれば、設定手段は、各ポートを、上位機器に接続される上位ポート、及び下位機器に接続される下位ポートのいずれかに設定する。また、検出手段は、各下位ポートと各下位機器との間の電気的接続の確立状態を検出する。そして、制御手段は、全ての下位ポートにおいて、対応する下位機器との間の電気的接続が確立されていないことを検出手段が検出した場合に、データ転送装置を省電力状態に設定する。つまり、第１の態様に係るデータ転送装置は、上位ポートと上位機器との電気的接続の確立状態や、上位機器から上位ポートへのデータ通信の有無とは無関係に、下位ポートと下位機器との電気的接続の確立状態に基づいて自身の電源状態を制御する。従って、上
位ポートと上位機器との間の電気的接続が定常的に確立されている場合や、下位機器にとって不要なブロードキャストパケットを上位ポートが上位機器から受信した場合であっても、省電力状態に設定されているデータ転送装置が通常状態に復帰することはない。その結果、データ転送装置の省電力状態が不要に解除されることを回避できるため、省電力状態による消費電力の低減効果を十分に得ることが可能となる。
【０００８】
本発明の第２の態様に係るデータ転送装置は、第１の態様に係るデータ転送装置において特に、前記設定手段は、前記複数のポートから前記上位機器に向けて所定の信号を送信し、当該複数のポートのうち、前記所定の信号に対する前記上位機器からの返信を受信したポートを、前記上位ポートとして設定することを特徴とするものである。
【０００９】
第２の態様に係るデータ転送装置によれば、設定手段は、複数のポートから上位機器に向けて所定の信号を送信し、当該複数のポートのうち、その所定の信号に対する上位機器からの返信を受信したポートを、上位ポートとして設定する。従って、設定手段の処理によって上位ポートが正確かつ自動的に設定されるため、ユーザが手動で設定する場合に生じ得る誤設定を回避できるとともに、その設定作業に伴うユーザの労力を軽減することができる。
【００１０】
本発明の第３の態様に係るデータ転送装置は、第１の態様に係るデータ転送装置において特に、前記設定手段は、外部接続された通信機器から入力された設定信号に基づいて、各前記ポートを前記上位ポート及び前記下位ポートのいずれかに設定することを特徴とするものである。
【００１１】
第３の態様に係るデータ転送装置によれば、設定手段は、外部接続された通信機器から入力された設定信号に基づいて、各ポートを上位ポート及び下位ポートのいずれかに設定する。従って、ユーザがパソコン等の通信機器を操作することによって、各ポートを上位ポート及び下位ポートのいずれかに任意に設定できるため、上位ポート及び下位ポートが予め固定的に設定されている場合と比較すると、柔軟な運用を実現することができる。
【００１２】
本発明の第４の態様に係るデータ転送装置は、第１の態様に係るデータ転送装置において特に、各前記ポートは、前記上位ポート及び前記下位ポートのいずれかに固定的に設定されていることを特徴とするものである。
【００１３】
第４の態様に係るデータ転送装置によれば、各ポートは、上位ポート及び下位ポートのいずれかに固定的に設定されている。従って、上位ポートに対応する検出手段は省略できるため、装置構成の簡略化を図ることができる。
【００１４】
本発明の第５の態様に係るデータ転送装置は、第４の態様に係るデータ転送装置において特に、前記ポートの設定の有効又は無効を切り替えるスイッチをさらに備えることを特徴とするものである。
【００１５】
第５の態様に係るデータ転送装置によれば、スイッチによって、ポートの設定の有効又は無効を切り替えることができる。下位ポートと下位機器との間の電気的接続が定常的に確立されている場合（下位機器が例えばＩＰ電話である場合）には、データ転送装置が省電力状態に設定されることはない。従って、このような場合にはスイッチによってポートの設定を無効とし、検出手段や制御手段の機能を無効とすることによって、無駄な処理が行われることを回避できる。
【発明の効果】
【００１６】
本発明によれば、データ転送装置の省電力状態が不要に解除されることを回避できるた
め、消費電力の低減効果を十分に得ることが可能となる。
【図面の簡単な説明】
【００１７】
【図１】本発明の実施の形態に係るスイッチングハブの接続例を示す図である。
【図２】スイッチングハブの機能構成を簡略的に示す図である。
【図３】モード制御部の機能構成を示すブロック図である。
【図４】スイッチングハブの電源状態の遷移を示す状態遷移図である。
【図５】設定部による各ポートの設定手法に関する第１の例を示す図である。
【図６】設定部による各ポートの設定手法に関する第２の例を示す図である。
【図７】スイッチングハブの外観を模式的に示す平面図である。
【発明を実施するための形態】
【００１８】
以下、本発明の実施の形態について、図面を用いて詳細に説明する。なお、異なる図面において同一の符号を付した要素は、同一又は相応する要素を示すものとする。
【００１９】
図１は、本発明の実施の形態に係るスイッチングハブ１の接続例を示す図である。スイッチングハブ１は、複数個（図１に示した例では５個）のポートＢ１〜Ｂ５を備えている。ポートＢ１には、ネットワークケーブル１０を介してブロードバンドルータ２が接続されている。ポートＢ２には、ネットワークケーブル１１を介してパソコン２０が接続されている。ポートＢ４には、ネットワークケーブル１２を介してパソコン２１が接続されている。なお、ポートＢ３，Ｂ５には何も接続されていない。
【００２０】
ブロードバンドルータ２は、複数個（図１に示した例では５個）のポートＡ１〜Ａ５を備えている。ポートＡ１は、ネットワークケーブル１４を介してＷＡＮ（Wide Area Network）に接続されている。ポートＡ３には、ネットワークケーブル１３を介してＩＰ電話２２が接続されている。ポートＡ４には、ネットワークケーブル１０を介してスイッチングハブ１が接続されている。なお、ポートＡ２，Ａ５には何も接続されていない。
【００２１】
スイッチングハブ１にとって、ブロードバンドルータ２及びパソコン２０，２１は同一のＬＡＮ（Local Area Network）内の通信機器である。特に、スイッチングハブ１にとってブロードバンドルータ２は、ＬＡＮの上位側（つまりＷＡＮに近い側）の通信機器（本明細書において「上位機器」と称す）であり、一方、スイッチングハブ１にとってパソコン２０，２１は、ＬＡＮの下位側（つまりＷＡＮから遠い側）の通信機器（本明細書において「下位機器」と称す）である。また、本明細書においては、スイッチングハブ１が備える複数のポートのうち、上位機器に接続される（又は接続すべき）ポートを「上位ポート」と称し、下位機器に接続される（又は接続すべき）ポートを「下位ポート」と称す。図１に示した例では、ポートＢ１が上位ポートであり、ポートＢ２〜Ｂ５が下位ポートである。スイッチングハブ１は、ブロードバンドルータ２及びパソコン２０，２１間でデータを転送するためのデータ転送装置として機能する。
【００２２】
図２は、スイッチングハブ１の機能構成を簡略的に示す図である。スイッチングハブ１は、ポートＢ１〜Ｂ５間でのデータの転送処理を実行するための通信制御部３０と、スイッチングハブ１の電源状態を制御するためのモード制御部３１とを備えている。
【００２３】
ここで、スイッチングハブ１の電源状態には、通常モード（フルパワーモード）と省電力モード（低消費電力モード、休止モード、スタンバイモード、スリープモード）とが含まれる。通常モードでは、通信制御部３０内の全ての機能に対して給電が行われる。これによって、通信制御部３０内の全ての機能は通常に（つまり制限されることなく）動作可能であるが、消費電力は高い。省電力モードでは、通信制御部３０内の機能の全部又は一部への給電が停止される。これによって、通信制御部３０の動作は制限されるが、消費電
力は低い。
【００２４】
図３は、モード制御部３１の機能構成を示すブロック図である。図３の接続関係で示すように、モード制御部３１は、検出部４０−１〜４０−５、設定部４１、及び制御部４２を備えている。
【００２５】
検出部４０−１は、ポートＢ１と、ポートＢ１に接続されている通信機器（図１に示した例ではブロードバンドルータ２）との間の電気的接続の確立状態を検出する。つまり、ポートＢ１がリンクアップされているかリンクダウンされているかを検出する。具体的には、ポートＢ１と通信制御部３０との間（又はポートＢ１内部）の特定の配線４３−１（又は端子）の電圧値を測定し、その電圧値を所定の閾値と比較する。そして、その電圧値が閾値以上である場合にはポートＢ１がリンクアップされていると判定し、閾値未満である場合にはポートＢ１がリンクダウンされていると判定する。検出部４０−１の検出結果は、信号Ｓ１−１として制御部４２に入力される。
【００２６】
同様に、検出部４０−２〜４０−５は、配線４３−２〜４３−５の電圧値の測定結果に基づいて、ポートＢ２〜Ｂ５のリンクアップ又はリンクダウンをそれぞれ検出する。検出部４０−２〜４０−５の検出結果は、信号Ｓ１−２〜Ｓ１−５として制御部４２にそれぞれ入力される。
【００２７】
図１に示した例において、検出部４０−２は、パソコン２０の電源がオンされている場合にはポートＢ２のリンクアップを検出し、オフされている場合にはリンクダウンを検出する。同様に、検出部４０−４は、パソコン２１の電源がオンされている場合にはポートＢ４のリンクアップを検出し、オフされている場合にはリンクダウンを検出する。また、ポートＢ３，Ｂ５には通信機器が接続されていないため、検出部４０−３，４０−５は、それぞれポートＢ３，Ｂ５のリンクダウンを検出する。また、ＩＰ電話２２が接続されたブロードバンドルータ２は定常的に電源がオンされているため、検出部４０−１はポートＢ１のリンクアップを定常的に検出する。
【００２８】
設定部４１は、各ポートＢ１〜Ｂ５の設定に関する情報、つまり各ポートＢ１〜Ｂ５が上位ポート及び下位ポートのいずれに設定されているかに関する情報を、信号Ｓ２として制御部４２に入力する。設定部４１による各ポートＢ１〜Ｂ５の設定手法については後述する。
【００２９】
制御部４２は、信号Ｓ１−１〜Ｓ１−５と信号Ｓ２とに基づいてスイッチングハブ１の電源状態（通常モード又は省電力モード）を設定し、その設定信号Ｓ３を通信制御部３０に入力する。
【００３０】
図４は、スイッチングハブ１の電源状態の遷移を示す状態遷移図である。制御部４２は、信号Ｓ２に基づいてポートＢ１〜Ｂ５のうちの下位ポートを特定する。そして、スイッチングハブ１が通常モードに設定されている状態において、全ての下位ポート（図１に示した例ではポートＢ２〜Ｂ５）がリンクダウンされた場合には、スイッチングハブ１を省電力モードに移行する。また、スイッチングハブ１が省電力モードに設定されている状態において、いずれかの下位ポートがリンクアップされた場合には、スイッチングハブ１を通常モードに復帰させる。なお、単にリンクアップされただけでは通常モードへ復帰させず、データ通信の開始が検出されてから通常モードへ復帰させてもよい。
【００３１】
図５は、設定部４１による各ポートＢ１〜Ｂ５の設定手法に関する第１の例を示す図である。設定部４１にはＤＨＣＰ（Dynamic Host Configuration Protocol）クライアントとしての機能が実装されており、設定部４１は、スイッチングハブ１が省電力モードから
通常モードへ復帰する度に、ＤＨＣＰサーバに対してＩＰアドレスの割り当てを要求するための信号Ｓ１１（ＤＨＣＰＤｉｓｃｏｖｅｒ）を送出する。信号Ｓ１１は、通信制御部３０を介して、リンクアップされている全てのポートから送信される。図５に示した例では、信号Ｓ１１はポートＢ１，Ｂ２，Ｂ４からそれぞれ送信されている。
【００３２】
一般的なホームネットワークにおいて、ＤＨＣＰサーバとしての機能は、ホームゲートウェイであるブロードバンドルータ２に実装されている。従って、ブロードバンドルータ２は、スイッチングハブ１からネットワークケーブル１０を介して信号Ｓ１１を受信すると、それに応答して、ＩＰアドレスの設定情報に関する信号Ｓ１２（ＤＨＣＰＯｆｆｅｒ）を、ネットワークケーブル１０を介してスイッチングハブ１に返信する。なお、パソコン２０，２１にはＤＨＣＰサーバとしての機能が実装されていないため、パソコン２０，２１は、信号Ｓ１１を受信しても信号Ｓ１２を返信しない。
【００３３】
信号Ｓ１２は、ブロードバンドルータ２から、ネットワークケーブル１０、ポートＢ１、及び通信制御部３０をこの順に介して、設定部４１に入力される。設定部４１は、信号Ｓ１２を受信したポート（この例ではポートＢ１）を上位ポートとして設定し、その他のポート（この例ではポートＢ２〜Ｂ５）を下位ポートとして設定する。
【００３４】
なお、上位ポートの設定に利用する信号Ｓ１２は、下位機器ではなく必ず上位機器から送られてくる信号であれば、ＤＨＣＰＯｆｆｅｒに限らず、どのようなものであっても良い。例えば、ＳＴＰ（Spanning Tree Protocol）で使用されるＢＰＤＵ（Bridge Protocol Data Unit）やＩＧＭＰ（Internet Group Management Protocol）のGeneral Queryを、信号Ｓ１２として用いることもできる。
【００３５】
このように第１の例によれば、設定部４１は、リンクアップされている複数のポートから上位機器に向けて所定の信号を送信し、当該複数のポートのうち、その所定の信号に対する上位機器からの返信を受信したポートを上位ポートとして設定し、その他のポートを下位ポートとして設定する。従って、設定部４１の処理によって上位ポート及び下位ポートが正確かつ自動的に設定されるため、ユーザが手動で設定する場合に生じ得る誤設定を回避できるとともに、その設定作業に伴うユーザの労力を軽減することができる。
【００３６】
図６は、設定部４１による各ポートＢ１〜Ｂ５の設定手法に関する第２の例を示す図である。ユーザは、スイッチングハブ１に外部接続されている任意の通信機器を操作することにより、各ポートＢ１〜Ｂ５を上位ポート及び下位ポートのいずれかに任意に設定することができる。図６に示した例では、ユーザは、パソコン２１を用いて各ポートＢ１〜Ｂ５の設定情報を入力する。この場合、その設定情報に関する設定信号Ｓ２１は、パソコン２１から、ネットワークケーブル１２、ポートＢ４、及び通信制御部３０をこの順に介して、設定部４１に入力される。設定部４１は、入力された設定信号Ｓ２１に従って、各ポートＢ１〜Ｂ５を上位ポート及び下位ポートのいずれかに設定する。
【００３７】
このように第２の例によれば、設定部４１は、外部接続された通信機器から入力された設定信号Ｓ２１に基づいて、スイッチングハブ１の各ポートを上位ポート及び下位ポートのいずれかに設定する。従って、ユーザがパソコン等の通信機器を操作することによって、各ポートを上位ポート及び下位ポートのいずれかに任意に設定できるため、上位ポート及び下位ポートが予め固定的に設定されている場合と比較すると、柔軟な運用を実現することができる。
【００３８】
図７は、設定部４１による各ポートＢ１〜Ｂ５の設定手法に関する第３の例を説明するために、スイッチングハブ１の外観を模式的に示す平面図である。スイッチングハブ１の筐体にはポートＢ１〜Ｂ５が設けられており、各ポートＢ１〜Ｂ５は、予め上位ポート及
び下位ポートのいずれかに固定的に設定されている。図７に示した例では、ポートＢ１が上位ポートに固定的に設定されており、ポートＢ２〜Ｂ５が下位ポートに固定的に設定されている。また、その設定に関する情報は、設定部４１によって保持されている。ユーザは、宅内のＬＡＮを構築する際に、その設定に従って、ポートＢ１には上位機器を接続し、ポートＢ２〜Ｂ５には下位機器を接続する。
【００３９】
また、スイッチングハブ１の筐体には、ユーザが操作可能なスイッチ５０が設けられている。各ポートＢ１〜Ｂ５の設定は、スイッチ５０を「ＯＮ」に切り替えることによって有効となり、「ＯＦＦ」に切り替えることによって無効となる。下位ポートと下位機器との間が定常的にリンクアップされている場合（例えば、図１においてパソコン２１の代わりにＩＰ電話が接続されている場合）には、スイッチングハブ１が省電力状態に設定されることはない。従って、このような場合にはスイッチ５０によってポートの設定を無効とし、検出部４０−１〜４０−５や制御部４２の機能を無効とすることによって、無駄な処理が行われることを回避できる。
【００４０】
このように第３の例によれば、スイッチングハブ１の各ポートは、上位ポート及び下位ポートのいずれかに固定的に設定されている。従って、複数の検出部４０−１〜４０−５のうち上位ポートに対応するものは省略できるため、装置構成の簡略化を図ることができる。例えばポートＢ１が上位ポートに固定的に設定されている場合には、検出部４０−１を省略することができる。
【００４１】
以上説明したように本実施の形態に係るスイッチングハブ１によれば、設定部４１は、各ポートＢ１〜Ｂ５を、上位機器に接続される上位ポート、及び下位機器に接続される下位ポートのいずれかに設定する。また、検出部４０−１〜４０−５は、各下位ポートと各下位機器との間の電気的接続の確立状態（つまりリンクアップ状態かリンクダウン状態か）を検出する。そして、制御部４２は、全ての下位ポートＢ２〜Ｂ５において、対応する下位機器との間の電気的接続が確立されていないことを検出部４０−２〜４０−５が検出した場合に、スイッチングハブ１を省電力モードに設定する。
【００４２】
つまり、本実施の形態に係るスイッチングハブ１は、上位ポートＢ１と上位機器との電気的接続の確立状態や、上位機器から上位ポートＢ１へのデータ通信の有無とは無関係に、下位ポートＢ２〜Ｂ５と下位機器との電気的接続の確立状態に基づいて自身の電源状態を制御する。従って、上位ポートＢ１と上位機器との間の電気的接続が定常的に確立されている場合や、下位機器にとって不要なブロードキャストパケットを上位ポートＢ１が上位機器から受信した場合であっても、省電力モードに設定されているスイッチングハブ１が通常モードに復帰することはない。その結果、スイッチングハブ１の省電力モードが不要に解除されることを回避できるため、省電力モードによる消費電力の低減効果を十分に得ることが可能となる。
【００４３】
なお、以上の説明では、本発明をスイッチングハブ１に適用する例について説明したが、本発明の適用対象はこれに限らず、通信ネットワーク内の複数の通信機器間でデータを転送する任意のネットワークスイッチ（データ転送装置）に適用することができる。
【００４４】
例えば図１において、定常的に電源がオンされている通信機器（図１の例ではＩＰ電話２２）がブロードバンドルータ２に接続されていない場合には、ＷＡＮ側のポートＡ１を上位ポートとして設定し、ＬＡＮ側のポートＡ２〜Ａ５を下位ポートとして設定することにより、本発明によってブロードバンドルータ２の電源状態を制御することが可能となる。なお、定常的に電源がオンされている通信機器としては、ＩＰ電話のほかに、ホームセキュリティ装置等が考えられる。
【００４５】
また、図１に示した例では１個のスイッチングハブ１のみが設けられているが、複数のスイッチングハブがカスケード接続されているネットワーク構成においても、本発明を適用することが可能である。複数のスイッチングハブをカスケード接続する場合には、下位のスイッチングハブの上位ポートが、上位のスイッチングハブの下位ポートに接続される。ここで、カスケード接続されている複数のスイッチングハブが省電力モードに設定されている場合において、下位のスイッチングハブが通常モードに復帰した場合には、それに伴って上位のスイッチングハブも順次に通常モードに復帰することとなる。
【００４６】
なお、今回開示された実施の形態はすべての点で例示であって制限的なものではないと考えられるべきである。本発明の範囲は、上記した意味ではなく、特許請求の範囲によって示され、特許請求の範囲と均等の意味及び範囲内での全ての変更が含まれることが意図される。
【符号の説明】
【００４７】
１  スイッチングハブ
２  ブロードバンドルータ
３０  通信制御部
３１  モード制御部
４０−１〜４０−５  検出部
４１  設定部
４２  制御部
５０  スイッチ
Ｂ１〜Ｂ５  ポート
【図１】
2010226312.tif 000003
【図２】
2010226312.tif 000004
【図３】
2010226312.tif 000005
【図４】
2010226312.tif 000006
【図５】
2010226312.tif 000007
【図６】
2010226312.tif 000008
【図７】
2010226312.tif 000009